(57)【特許請求の範囲】
【請求項１】
洗面台又は流し台に操作レバーの操作により湯水の温度及び流量を調整する水栓本体と、吐水部からなる混合水栓を装着し、水栓本体に、水を導入する給水管と、湯を導入する給湯管とを接続し、吐水部と水栓本体とを接続管により連通し、給水管と接続管とをバイパス管により接続し、バイパス管に電磁弁を取付け、洗面台又は流し台に人体検知を行なう人体検知手段を設け、人体検知手段からの人体検知信号により電磁弁を開閉して吐水部の吐水及び止水を行なうと共に、操作レバーの手動操作により水栓本体を介して供給される湯水の吐水部からの吐水及び止水を行なうことを特徴とする水栓装置。
【請求項２】
人体検知手段の人体検知機能の入り切りを行なうための切替スイッチを設けたことを特徴とする請求項１記載の水栓装置。
【請求項３】
切替スイッチを操作レバーの基端部に設けたことを特徴とする請求項２記載の水栓装置。
【請求項４】
切替スイッチを操作レバーの基端部を覆うように取付けるキャップに設けてあることを特徴とする請求項３記載の水栓装置。
【請求項５】
人体検知手段を吐水部に設けたことを特徴とする請求項１乃至４の何れかに記載の水栓装置。
【請求項６】
切替スイッチを人体検知手段と一体的に設けたことを特徴とする請求項２記載の水栓装置。
【発明の詳細な説明】
【０００１】
【発明の属する技術分野】
本発明は洗面台又は流し台等に取付けられ、手動及び自動の何れでも操作可能とした水栓装置に関する。
【０００２】
【従来の技術】
従来、洗面台又は流し台等に取付けられる水栓を手動及び自動の何れでも操作可能とした水栓装置として公知のものに、実開平６−８７４７３号公報の図１及び図２（本願図面の図７（ａ），（ｂ））のものがある。この図７（ａ），（ｂ）について簡単に説明すると、洗面台３０の内部に収容された湯水混合栓３１は入口側に水配管３２と湯配管３３が接続され、湯水の温度を調節する操作部３４を洗面器３５上方に露出して設け、この湯水混合栓３１から洗面器３５上方の吐水管３６に接続される通水配管３８は、第１配管３９と第２配管４０に分岐して、第１配管３９には電磁弁４１を装着して吐水管３６に接続し、該電磁弁４１をバイパスして第１配管３９に接続する第２配管４０には、洗面器３５上方に手動操作部４３により開閉する開閉弁４２を装着し、前記吐水管３６には手の差し出しを検知することで電磁弁４１の開閉を制御する人体検知手段３７が取付けられ、洗面台３０の前面には前記検知信号による電磁弁４１の開閉を停止して閉鎖状態を維持する切替スイッチ４４を具備したもので、通常の手洗いの場合には、吐水管３６に取付けられた人体検知手段３７に手を差し出すことで、電磁弁４１が開かれ吐水管３６より湯水が吐出され、例えば溜め洗いを行なう場合には、切替スイッチ４４を手動でオンからオフにすることで自動水栓の機能が一時停止され、手動操作部４３の操作で開閉弁４２を開閉することにより任意に吐水，止水が行なわれるものである。
【０００３】
上記のものにあっては、洗面台で手や顔を洗う場合は、水の吐水，止水を頻繁に行なうのでセンサーを使用すると便利であり、容器に水を溜めたりする場合は、長時間吐水状態が続くので手動での操作が便利であり、用途に応じて自動と手動の両方の操作が可能であるが、この自動水栓は手動でのみ吐水，止水を行なう手動水栓との互換性がないため、それぞれ専用の水栓装置を用意する必要があり、部品点数が多く管理上の問題があった。
【０００４】
【発明が解決しようとする課題】
本発明が解決しようとする課題は、洗面台又は流し台で使用される水栓装置で、手動水栓用の部品と自動水栓用の部品とを共用できるようにし、コストダウンを図ることである。
【０００５】
【課題を解決するための手段】
本発明の水栓装置は請求項１では、洗面台又は流し台に操作レバーの操作により湯水の温度及び流量を調整する水栓本体と、吐水部からなる混合水栓を装着し、水栓本体に、水を導入する給水管と、湯を導入する給湯管とを接続し、吐水部と水栓本体とを接続管により連通し、給水管と接続管とをバイパス管により接続し、バイパス管に電磁弁を取付け、洗面台又は流し台に人体検知を行なう人体検知手段を設け、人体検知手段からの人体検知信号により電磁弁を開閉して吐水部の吐水及び止水を行なうと共に、操作レバーの手動操作により水栓本体を介して供給される湯水の吐水部からの吐水及び止水を行なうものである。
【０００６】
請求項２では、人体検知手段の人体検知機能の入り切りを行なうための切替スイッチを設けたものである。
【０００７】
請求項３では、切替スイッチを操作レバーの基端部に設けたものである。
【０００８】
請求項４では、切替スイッチを操作レバーの基端部を覆うように取付けるキャップに設けたものである。
【０００９】
請求項５では、人体検知手段を吐水部に設けたものである。
【００１０】
請求項６では、切替スイッチを人体検知手段と一体的に設けたものである。
【００１１】
【発明の実施の形態】
以下、本発明の実施の形態を図に基づいて詳細に説明する。
図５及び図６は従来から一般的に使用されている洗面台１及び混合水栓８であり、洗面台１は室内の壁に沿って設置され、キャビネット２の上面にカウンター３を固定し、カウンター３にはボール４が装着されている。該ボール４は底面の略中央に湯水を排水する排水口５を備え、カウンター３の後方にはボール４に向けて垂直面７を形成したバックガード６を設け、該バックガード６の垂直面７に取付けられる混合水栓８は、ボール４に向けて湯水を吐水可能な吐水部９と、吐水部９に湯水を供給する水栓本体１３とからなり、左右に間隔をあけてそれぞれ装着している。
【００１２】
前記水栓本体１３は、カウンター３の下部で各止水栓１５，１５から垂直方向に立ち上がっている給水管１６及び給湯管１７と接続し、該給水管１６及び給湯管１７から供給される水，湯を、先端に取付けた操作レバー１４の左右及び上下への操作で適温，適量の湯水に混合するもので、この混合された湯水は、水栓本体１３の下部に取付けられてカウンター３の下部に垂れ下がっている接続管１２へと送り出される。
【００１３】
吐水部９は、シャワーヘッド１１とシャワーヘッド１１を支持するホルダー１０とからなり、ホルダー１０はバックガード６の垂直面７から前方のボール４に向けて突出し、垂直面７に対し前方に摺動自在で内部を前記接続管１２が挿通する筒状で、先端の開口部には前記接続管１２に接続するシャワーヘッド１１を引出し自在に支持している。
【００１４】
前記混合水栓８を使用して手や顔を洗ったり洗髪を行なう場合は、水栓本体１３の操作レバー１４を操作し、ホルダー１０に支持されたシャワーヘッド１１からの湯水の吐水によって行なう。なおこの時、シャワーヘッド１１を接続管１２と共にホルダー１０から引出すことで、洗髪を容易に行なうことができる。
【００１５】
本発明では、上記のような洗面台に装着されている通常の混合水栓をそのまま利用して、手動による操作だけでなくセンサーの人体検知による自動吐水を可能にしている。
【００１６】
即ち図１及び図２に示すように、前記給水管１６は止水栓１５との間に水の流路を水栓本体１３だけでなく、接続管１２に直接接続するための第１分岐管１８を装着し、該第１分岐管１８には電磁弁１９を取付け、前記接続管１２にも第２分岐管２０を装着し、電磁弁１９と第２分岐管２０をバイパス管２１により接続している。このようにバイパス管２１は給水管１６と接続管１２の間で、混合水栓８の水栓本体１３を通過しないで接続管１２に直接水を供給できるようにしているので、水栓本体１３が操作レバー１４の操作で止水状態であっても電磁弁１９が開弁状態であれば、給水管１６から接続管１２に水を供給することができる。
【００１７】
前記バックガード６に取付けられた水栓本体１３とホルダー１０の間には、人体検知手段２２が設けられ、人体検知手段２２にはセンサー２３及び切替スイッチ２４が設けられている。センサー２３は差し出された手等の物体を検知すると、この検知信号を電気コード２５を介してカウンター３の下部に取付けられている制御部２６に送るものであり、該制御部２６はセンサー２３からの検知信号に基づき電気コード２５を介して前記電磁弁１９の開閉を制御し、バイパス管２１及び接続管１２を介してシャワーヘッド１１から供給される水の吐水，止水を行なう。
【００１８】
切替スイッチ２４は使用者が意図しないのにセンサー２３が物体を感知してしまい、不意に水が吐水して衣類等を水浸しにするのを防止するため検知機能を停止するものであり、切替スイッチ２４がオンの場合はセンサー２３の検知に基づき水の吐水，止水の切替えが可能であるが、オフにすると電磁弁１９を常時閉鎖状態にすることができ、センサー２３が物体を検知しても電磁弁１９は閉鎖したままであり、いきなり水が吐水することがないようにしている。なお、人体検知手段の装着位置は混合水栓に隣接していればどこでもよく、センサーと切替スイッチを離れた位置に装着してもよく、例えば図３及び図４に示すように、センサー２３ａをホルダー１０の基端部でボール４と向かい合う位置に設け、操作レバー１４の基端部を覆うように取付けられているキャップ１４ａに切替スイッチ２４ａを設けてもよい。
【００１９】
本発明により例えば手動操作で容器等に水を溜めたり、洗髪を行なう場合は、長時間吐水状態を続けるので、水栓本体１３の操作レバー１４を吐水方向に操作し、ホルダー１０に支持されたシャワーヘッド１１からの湯水の吐水によって行なう。なおこの場合、人体検知手段２２の切替スイッチ２４がオン，オフの何れであっても水，湯を給水管１６，給湯管１７により水栓本体１３へ供給することができ、操作レバー１４の操作による湯水の吐水が可能である。
【００２０】
次にセンサー２３を利用して自動で水の吐水，止水を行なう場合は、人体検知手段２２の切替スイッチ２４をオンにして電磁弁１９が開閉するようにしておく。この状態で例えば手洗い，洗顔等を行なうには、センサー２３に手等の物体を差し出して検知させることで、検知信号が電気コード２５及び制御部２６から電磁弁１９に送られ、バイパス管２１を通過する水が接続管１２に供給され、シャワーヘッド１１から外部へ水が供給される。
【００２１】
なおこの時、自動だけでなく手動での操作も可能であり、水栓本体１３の操作レバー１４を吐水方向へ操作すれば、シャワーヘッド１１から湯水を吐水することも可能である。
【００２２】
また図３及び図４の実施例では、センサーを吐水部のホルダーでボールと向かい合う位置に設け、切替スイッチは操作レバーの基端部を覆うように取付けたキャップに設けたので、手動水栓のホルダーだけを取替えれば自動水栓を構成でき、部品点数を大幅に増加する必要がないうえ、センシングが確実にでき、しかも切替スイッチの操作と操作レバーの操作を連続的にでき、操作性が向上するものである。
【００２３】
【発明の効果】
本発明では請求項１では、洗面台又は流し台に操作レバーの操作により湯水の温度及び流量を調整する水栓本体と、吐水部からなる混合水栓を装着し、水栓本体に、水を導入する給水管と、湯を導入する給湯管とを接続し、吐水部と水栓本体とを接続管により連通し、給水管と接続管とをバイパス管により接続し、バイパス管に電磁弁を取付け、洗面台又は流し台に人体検知を行なう人体検知手段を設け、人体検知手段からの人体検知信号により電磁弁を開閉して吐水部の吐水及び止水を行なうと共に、操作レバーの手動操作により水栓本体を介して供給される湯水の吐水部からの吐水及び止水を行なうようにした。従って既存の手動による混合水栓をそのまま有効に利用してバイパス管、電磁弁及び人体検知手段を付加するのみでセンサーを利用した自動吐水が可能となり、水栓装置の操作性を大幅に向上することができるとともに、部品点数の増加を抑えることができ、簡単な構成で自動水栓を構成することができる。
【００２４】
請求項２では、人体検知手段の人体検知機能の入り切りを行なうための切替スイッチを設けた。従って切替スイッチをオフにすると電磁弁を常時閉鎖状態にすることができ、使用者が意図しないのにセンサーが物体を検知してしまい、不意に水が吐水して衣類等を水浸しにするのを確実に防止することができる。
【００２５】
請求項３によると、切替スイッチを操作レバーの基端部に設けたので、上記効果に加えて切替スイッチの操作と操作レバーの操作の一連の操作を連続的にできるようになり、操作性が向上する。
【００２６】
請求項４によると、切替スイッチを操作レバーの基端部を覆うように取付けるキャップに設けてあるので、上記効果に加えて切替スイッチの取付けはキャップを増やすだけですむので、部品点数の大幅な増加なく自動水栓を構成することができる。
【００２７】
請求項５によると、人体検知手段を吐水部に設けたので、上記効果に加えて吐水部のみをかえるだけで自動水栓を構成できるとともに、センシングが確実にできるようになる。
【００２８】
請求項６によると、切替スイッチを人体検知手段と一体的に設けたので、上記効果に加えてこれらの取付部が１つですみ、組立作業性が向上するとともに、部品点数が減少するので、コストダウンになる。
【図面の簡単な説明】
【図１】洗面化粧台に本発明の水栓装置を装着した状態の斜視図である。
【図２】洗面化粧台に本発明の水栓装置を装着した状態の正面図である。
【図３】図１において、人体検知手段を別の実施例とした状態の斜視図である。
【図４】図３の水栓本体をバックガードに取付けた状態の縦断面図である。
【図５】洗面化粧台に既存の水栓装置を装着した状態の斜視図である
【図６】洗面化粧台に既存の水栓装置を装着した状態の正面図である
【図７】従来技術の説明図で、（ａ）は正面図、（ｂ）は側面図である。
【符号の説明】
１                      洗面台
８                      混合水栓
９                      吐水部
１２                    接続管
１３                    水栓本体
１４                    操作レバー
１４ａ                  キャップ
１６                    給水管
１７                    給湯管
１９                    電磁弁
２１                    バイパス管
２２                    人体検知手段
２４，２４ａ            切替スイッチ
【図１】
0004713725.tif 000002
【図２】
0004713725.tif 000003
【図３】
0004713725.tif 000004
【図４】
0004713725.tif 000005
【図５】
0004713725.tif 000006
【図６】
0004713725.tif 000007
【図７】
0004713725.tif 000008